【手続補正書】
【提出日】平成19年5月7日(2007.5.7)
【手続補正１】
【補正対象書類名】特許請求の範囲
【補正対象項目名】全文
【補正方法】変更
【補正の内容】
【特許請求の範囲】
【請求項１】
少なくとも黒を含む複数の色材を基に記録媒体にカラー画像を形成するカラー画像形成装置であって、
記録媒体に黒及びカラー色材を混合した検査用画像をそれぞれ形成する検知画像形成手段と、
前記記録媒体に形成された前記検査用画像の色度を検知する検知手段と、
前記検知手段により検出された、前記黒の検査用画像の各階調に対応する色度に含まれる明度情報から、前記各階調に対応する基準明度となる黒の階調度を取得する取得手段と、
前記取得手段により取得された前記黒の階調度と、前記検知手段により検知された前記黒の検査用画像の検知結果に基づいて前記黒の明度情報を補正する補正手段と、
前記取得手段により取得された前記黒の階調度に対応する色度を目標色度とし、当該目標色度と前記検知手段により前記カラー色材を用いた検査用画像を検知した色度とに基づいて、前記カラー色材の混合比率を補正する色補正手段と、
を有することを特徴とするカラー画像形成装置。
【請求項２】
少なくとも黒を含む複数の色材を基に記録媒体にカラー画像を形成するカラー画像形成装置であって、
カラー色材を混合した複数の検査用画像と１つの黒の検査用画像とからなる検知画像組を、記録媒体に複数組形成する検知画像形成手段と、
前記記録媒体に形成された前記検査用画像の色度を検知する検知手段と、
前記検知手段により検出された、前記複数組の黒の検査用画像の各階調に対応する色度に含まれる明度情報から、前記各階調に対応する基準明度となる黒の階調度を取得する取得手段と、
前記取得手段により取得された前記黒の階調度と、前記検知手段により検知された前記黒の検査用画像の検知結果に基づいて前記黒の明度情報を補正する補正手段と、
前記取得手段により取得された前記黒の階調度に対応する色度を前記各階調における目標色度とし、当該目標色度と前記検知手段により前記カラー色材を混合した各階調に対応する検査用画像を検知した色度とに基づいて、前記カラー色材の混合比率を補正する色補正手段と、
を有することを特徴とするカラー画像形成装置。
【請求項３】
前記カラー色材はシアン、マゼンタ、イエローを含み、
前記検査用画像はシアン、マゼンタ及びイエローの各基準値に基づくカラーパッチと、前記各基準値を混合して得られる黒に対応する明度を有する黒パッチを少なくとも含むことを特徴とする請求項１又は２に記載のカラー画像形成装置。
【請求項４】
前記検知手段は、それぞれ発光スペクトルが異なる発光素子と受光素子とを有し、前記受光素子で検出された複数色に対応する出力信号を処理することにより、前記検査用画像の色度を検出することを特徴とする請求項１に記載のカラー画像形成装置。
【請求項５】
前記検知手段は、発光素子とそれぞれ分光感度が異なる受光素子とを有し、前記受光素子で検出された複数色に対応する出力信号を処理することにより、前記検査用画像の色度を検出することを特徴とする請求項１に記載のカラー画像形成装置。
【請求項６】
少なくとも黒を含む複数の色材を基に記録媒体にカラー画像を形成するカラー画像形成装置の制御方法であって、
記録媒体に黒及びカラー色材を混合した検査用画像をそれぞれ形成する検知画像形成工程と、
前記記録媒体に形成された前記検査用画像の色度を検知する検知工程と、
前記検知工程で検出された、前記黒の検査用画像の各階調に対応する色度に含まれる明度情報から、前記各階調に対応する基準明度となる黒の階調度を取得する取得工程と、
前記取得工程で取得した前記黒の階調度と、前記検知工程で検知された前記黒の検査用画像の検知結果に基づいて前記黒の明度情報を補正する補正工程と、
前記取得工程で取得された前記黒の階調度に対応する色度を目標色度とし、当該目標色度と前記検知工程で前記カラー色材を用いた検査用画像を検知した色度とに基づいて、前記カラー色材の混合比率を補正する色補正工程と、
を有することを特徴とするカラー画像形成装置の制御方法。
【請求項７】
少なくとも黒を含む複数の色材を基に記録媒体にカラー画像を形成するカラー画像形成装置の制御方法であって、
カラー色材を混合した複数の検査用画像と１つの黒の検査用画像とからなる検知画像組を、記録媒体に複数組形成する検知画像形成工程と、
前記記録媒体に形成された前記検査用画像の色度を検知する検知工程と、
前記検知工程で検出された、前記複数組の黒の検査用画像の各階調に対応する色度に含まれる明度情報から、前記各階調に対応する基準明度となる黒の階調度を取得する取得工程と、
前記取得工程で取得された前記黒の階調度と、前記検知工程で検知された前記黒の検査用画像の検知結果に基づいて前記黒の明度情報を補正する補正工程と、
前記取得工程で取得された前記黒の階調度に対応する色度を前記各階調における目標色度とし、当該目標色度と前記検知工程で前記カラー色材を混合した各階調に対応する検査用画像を検知した色度とに基づいて、前記カラー色材の混合比率を補正する色補正工程と、を有することを特徴とするカラー画像形成装置の制御方法。
【請求項８】
前記カラー色材はシアン、マゼンタ、イエローを含み、
前記検査用画像はシアン、マゼンタ及びイエローの各基準値に基づくカラーパッチと、前記各基準値を混合して得られる黒に対応する明度を有する黒パッチを少なくとも含むことを特徴とする請求項６又は７に記載のカラー画像形成装置の制御方法。
【請求項９】
前記検知工程では、それぞれ発光スペクトルが異なる発光素子と受光素子とを使用し、前記受光素子で検出された複数色に対応する出力信号を処理することにより、前記検査用画像の色度を検出することを特徴とする請求項６又は７に記載のカラー画像形成装置の制御方法。
【請求項１０】
前記検知工程では、発光素子とそれぞれ分光感度が異なる受光素子を使用し、前記受光素子で検出された複数色に対応する出力信号を処理することにより、前記検査用画像の色度を検出することを特徴とする請求項６又は７に記載のカラー画像形成装置の制御方法。
【手続補正２】
【補正対象書類名】明細書
【補正対象項目名】０００９
【補正方法】変更
【補正の内容】
【０００９】
本発明の一態様に係るカラー画像形成装置は以下のような構成を備える。即ち、
少なくとも黒を含む複数の色材を基に記録媒体にカラー画像を形成するカラー画像形成装置であって、
記録媒体に黒及びカラー色材を混合した検査用画像をそれぞれ形成する検知画像形成手段と、
前記記録媒体に形成された前記検査用画像の色度を検知する検知手段と、
前記検知手段により検出された、前記黒の検査用画像の各階調に対応する色度に含まれる明度情報から、前記各階調に対応する基準明度となる黒の階調度を取得する取得手段と、
前記取得手段により取得された前記黒の階調度と、前記検知手段により検知された前記黒の検査用画像の検知結果に基づいて前記黒の明度情報を補正する補正手段と、
前記取得手段により取得された前記黒の階調度に対応する色度を目標色度とし、当該目標色度と前記検知手段により前記カラー色材を用いた検査用画像を検知した色度とに基づいて、前記カラー色材の混合比率を補正する色補正手段とを有することを特徴とする。
【手続補正３】
【補正対象書類名】明細書
【補正対象項目名】００１０
【補正方法】変更
【補正の内容】
【００１０】
本発明の一態様に係るカラー画像形成装置は以下のような構成を備える。即ち、
少なくとも黒を含む複数の色材を基に記録媒体にカラー画像を形成するカラー画像形成装置であって、
カラー色材を混合した複数の検査用画像と１つの黒の検査用画像とからなる検知画像組を、記録媒体に複数組形成する検知画像形成手段と、
前記記録媒体に形成された前記検査用画像の色度を検知する検知手段と、
前記検知手段により検出された、前記複数組の黒の検査用画像の各階調に対応する色度に含まれる明度情報から、前記各階調に対応する基準明度となる黒の階調度を取得する取得手段と、
前記取得手段により取得された前記黒の階調度と、前記検知手段により検知された前記黒の検査用画像の検知結果に基づいて前記黒の明度情報を補正する補正手段と、
前記取得手段により取得された前記黒の階調度に対応する色度を前記各階調における目標色度とし、当該目標色度と前記検知手段により前記カラー色材を混合した各階調に対応する検査用画像を検知した色度とに基づいて、前記カラー色材の混合比率を補正する色補正手段とを有することを特徴とする。
【手続補正４】
【補正対象書類名】明細書
【補正対象項目名】００１１
【補正方法】変更
【補正の内容】
【００１１】
本発明の一態様に係るカラー画像形成装置の制御方法は以下のような工程を備える。即ち、
少なくとも黒を含む複数の色材を基に記録媒体にカラー画像を形成するカラー画像形成装置の制御方法であって、
記録媒体に黒及びカラー色材を混合した検査用画像をそれぞれ形成する検知画像形成工程と、
前記記録媒体に形成された前記検査用画像の色度を検知する検知工程と、
前記検知工程で検出された、前記黒の検査用画像の各階調に対応する色度に含まれる明度情報から、前記各階調に対応する基準明度となる黒の階調度を取得する取得工程と、
前記取得工程で取得した前記黒の階調度と、前記検知工程で検知された前記黒の検査用画像の検知結果に基づいて前記黒の明度情報を補正する補正工程と、
前記取得工程で取得された前記黒の階調度に対応する色度を目標色度とし、当該目標色度と前記検知工程で前記カラー色材を用いた検査用画像を検知した色度とに基づいて、前記カラー色材の混合比率を補正する色補正工程とを有することを特徴とする。
【手続補正５】
【補正対象書類名】明細書
【補正対象項目名】００１２
【補正方法】変更
【補正の内容】
【００１２】
本発明の一態様に係るカラー画像形成装置の制御方法は以下のような工程を備える。即ち、
少なくとも黒を含む複数の色材を基に記録媒体にカラー画像を形成するカラー画像形成装置の制御方法であって、
カラー色材を混合した複数の検査用画像と１つの黒の検査用画像とからなる検知画像組を、記録媒体に複数組形成する検知画像形成工程と、
前記記録媒体に形成された前記検査用画像の色度を検知する検知工程と、
前記検知工程で検出された、前記複数組の黒の検査用画像の各階調に対応する色度に含まれる明度情報から、前記各階調に対応する基準明度となる黒の階調度を取得する取得工程と、
前記取得工程で取得された前記黒の階調度と、前記検知工程で検知された前記黒の検査用画像の検知結果に基づいて前記黒の明度情報を補正する補正工程と、
前記取得工程で取得された前記黒の階調度に対応する色度を前記各階調における目標色度とし、当該目標色度と前記検知工程で前記カラー色材を混合した各階調に対応する検査用画像を検知した色度とに基づいて、前記カラー色材の混合比率を補正する色補正工程とを有することを特徴とする。